Podtech/llm-jp-corpus-v4-ja_patent huggingface dataset:
【手続補正書】
【提出日】平成21年4月27日(2009.4.27)
【手続補正１】
【補正対象書類名】特許請求の範囲
【補正対象項目名】全文
【補正方法】変更
【補正の内容】
【特許請求の範囲】
【請求項１】
低温保持装置内に配置された超電導量子干渉素子（ＳＱＵＩＤ）と、
ある材料を含む検知領域に交番磁界を印加する手段と、
印加された交番磁界によって生じる材料の磁気パラメータの変化を検知し、それに応じて検知出力信号を生成する手段と、
検知出力信号を、材料の磁気パラメータの変化を検知する手段から遠隔配置されたＳＱＵＩＤに伝達する手段と、
検知された磁化度を示すＳＱＵＩＤからの出力信号を受信する手段とを具備し、
材料の磁気パラメータの変化を検知する手段は、非低温環境において動作可能である、材料の磁気特性を測定する装置。
【請求項２】
伝達手段で発生したノイズの影響を低減するノイズ低減手段をさらに具備する、請求項１に記載の装置。
【請求項３】
ノイズ低減手段は、ＳＱＵＩＤ出力信号から伝達手段で発生したノイズに起因する成分を分離する手段を具備し、これにより、検知出力信号からもたらされたＳＱＵＩＤ出力信号の所望の成分を選択する、請求項２に記載の装置。
【請求項４】
交番磁界は一つの周波数で印加され、分離手段は、印加された交番磁界の周波数に略等しい周波数をもつＳＱＵＩＤ出力信号の該当成分だけを選択するように構成される、請求項３に記載の装置。
【請求項５】
交番磁界は複数の周波数で印加され、分離手段は、印加された磁界の複数の周波数の少なくとも一つに略等しい一つまたは複数の周波数をもつＳＱＵＩＤ出力信号の該当成分だけを選択するように構成される、請求項３に記載の装置。
【請求項６】
印加された交番磁界と検知された磁化の間の位相差を検出する手段をさらに具備する、請求項１から請求項５のいずれかに記載の装置。
【請求項７】
交番磁界を印加する手段は、１５０Ｈｚ〜２０ｋＨｚの範囲内の周波数で当該磁界を与えるように構成される、請求項１から請求項６のいずれかに記載の装置。
【請求項８】
交番磁界を印加する手段は駆動コイルを有する、請求項１から請求項７のいずれかに記載の装置。
【請求項９】
互いに逆位相である各交流電圧を駆動コイルの二つの端子に印加する手段をさらに具備する、請求項８に記載の装置。
【請求項１０】
検知領域内に磁性材料が存在しない場合に、検知出力を略ゼロにさせる補正磁界を生成する手段をさらに具備する、請求項１から請求項９のいずれかに記載の装置。
【請求項１１】
補正磁界を生成する手段は補正コイルを有する、請求項８または請求項９に従属する場合に請求項１０に記載の装置。
【請求項１２】
前記補正コイルに駆動コイル中の電流と略逆相である電流を供給する手段をさらに具備し、これにより、駆動コイルによって生じた磁界に相反する磁界を補正コイル中に作り出す、請求項１１に記載の装置。
【請求項１３】
磁界印加手段と検知手段が複数のプローブを有する、請求項１から請求項１２のいずれかに記載の装置。
【請求項１４】
複数のプローブは異なる特性をもつ２個のプローブを含む、請求項１３に記載の装置。
【請求項１５】
複数のプローブは可搬アレイの形態である、請求項１３または請求項１４に記載の装置。
【請求項１６】
検知出力信号を遠隔のＳＱＵＩＤへ伝達する手段は、ある長さの低抵抗の電磁的に自己遮蔽型のケーブルを有する、請求項１から請求項１５のいずれかに記載の装置。
【請求項１７】
ケーブルの長さは１メートルを超える、請求項１６に記載の装置。
【請求項１８】
縦軸と縦軸を中心にした外表面をもつロッドと、
ロッドの縦軸を中心にロッドの円周に巻回された検知コイルと、
ロッドの縦軸を中心にロッドの周囲に配置された成形アセンブリと、
ロッドの縦軸を中心に成形アセンブリの円周に巻回された駆動コイルとを含み、
駆動コイルは成形アセンブリによってロッドの外表面から離間配置され、
検知コイルは、巻線の第２のセットの両側にロッド上に対称に配置されたペアの巻線からなる巻線の第１のセットを具備し、巻線の第１のセットおよび第２のセットは、成型アセンブリの両側に対称に配置される、材料の磁気特性を検出するプローブ。
【請求項１９】
成形アセンブリは、駆動コイルが支持される面に対して垂直な軸を有する駆動コイルを支持する巻回面を具備し、
巻回面の軸とロッドの縦軸は同心である、請求項１８に記載のプローブ。
【請求項２０】
巻線の第２のセットは、コイルの総巻数の略２分の１を含む中心領域を構成し、巻線の第１のセットは、二つの側部領域を有し、二つの側部領域は、それぞれコイルの巻数の略４分の１を含み、中心領域の巻回と反対方向に巻回される、請求項１８または請求項１９に記載のプローブ。
【請求項２１】
検知コイルは二次磁界勾配計の形態である、請求項１８から請求項２０のいずれかに記載のプローブ。
【請求項２２】
検知コイルは、巻線の第２のセットをさらに具備し、巻線の第１のセットは、巻線の第２のセットの両側にロッド上に対称に配置され、巻線の第２のセットは、成形アセンブリの両側に対称に配置される、請求項１８または請求項１９に記載のプローブ。
【請求項２３】
巻線の第２のセットは成形アセンブリの両側に配置された第２の複数の巻線を有し、巻線の第１のセットは巻線の第２のセットの両側に配置された第１の複数の巻線を有し、巻線の第２のセットは巻線の第１のセットよりも巻線数が少ない、請求項２２に記載のプローブ。
【請求項２４】
巻線の第１のセットは一次磁界勾配計の形態であり、巻線の第２のセットは一次磁界勾配計の形態である、請求項２２または請求項２３に記載のプローブ。
【請求項２５】
検知コイルの出力信号が、巻線の第１のセットによって発生した信号から差し引かれた巻線の第２のセットによって発生した信号を有するように、巻線の第１のセットは巻線の第２のセットに接続される、請求項２２から請求項２４のいずれかに記載のプローブ。
【請求項２６】
巻線の第１のセットの巻数に対する巻線の第２のセットの巻数の比率が、検知コイルに対する駆動コイルの軸方向変位に起因する駆動コイルと検知コイル間の結合の変化を最小にするような比率である、請求項２５に記載のプローブ。
【請求項２７】
材料の磁気パラメータの変化を検知する手段は、請求項１８から請求項２６のいずれかのプローブからなる、請求項１から請求項１７のいずれかに記載の装置。
【請求項２８】
材料の磁気特性を測定する方法であり、
当該材料を含む検知領域へ交番磁界を印加することと、
その結果生じる材料の磁気パラメータの変化を検知し、それに応じて出力信号を生成することと、
出力信号を、低温保持装置内に配置された遠隔の超電導量子干渉素子（ＳＱＵＩＤ）に伝達することと、
検知された磁化度を示すＳＱＵＩＤからの出力信号を受信することとを含み、
材料の磁気パラメータの変化は、非低温環境において動作可能な手段により検知される、方法。
【請求項２９】
材料は非低温環境にある、請求項２８に記載の方法。
【請求項３０】
材料は室温環境にある、請求項２８または請求項２９に記載の方法。
【手続補正書】
【提出日】平成21年4月8日(2009.4.8)
【手続補正１】
【補正対象書類名】特許請求の範囲
【補正対象項目名】全文
【補正方法】変更
【補正の内容】
【特許請求の範囲】
【請求項１】
被験者の関心領域からの放射線量を検出するための装置において、
前記被験者の周期的な生体リズムを監視するモニター、
前記被験者の各周期的な生体リズムにおける共通の基準点の時間を検出するトリガ点検出器、
各々が開始時間及び終了時間を持つ名目上のサンプリングセグメントのシーケンスを選択するシーケンス選択器、及び
各名目上のサンプリングセグメントの前記開始時間及び終了時間を前記検出した基準点の時間と同期させる同期プロセッサ
を有する装置。
【請求項２】
前記取得した放射線量を各名目上のサンプリングセグメントの間にわたり収集されたデータセットに並べ替えるソーター、及び
前記検出した基準点の近さに基づいて前記並べ替えられたデータセットを記憶するルックアップテーブル
をさらに有する請求項１に記載の装置。
【請求項３】
前記同期プロセッサは、前記開始時間及び終了時間が最も近くの検出された基準点に一致するように、各名目上のサンプリングセグメントの期間を調節するための調節器を含む請求項１に記載の装置。
【請求項４】
前記同期プロセッサはさらに、前記対応する名目上のサンプリングセグメントと調節されたサンプリングセグメントとの間にある期間の差に基づいて各々の調節されたサンプリングセグメントをスケーリングするためのスケーリングプロセッサを含む請求項１に記載の装置。
【請求項５】
前記スケーリングプロセッサは、前記調節されたサンプリングセグメントと前記名目上のサンプリングセグメントとの期間の偏差に従って、各々の調節されたサンプリングセグメントにおいて記録された大量の放射線量をスケーリングする請求項４に記載の装置。
【請求項６】
放射性医薬品を注入された前記被験者を収容する、前記被験者の周りに複数の放射線検出部を含むＰＥＴガントリ、
略同時に検出された放射線イベントの対を検出する同時検出器、
略同時に検出された放射線イベントの各対の間にＬＯＲを決めるＬＯＲ決定処理、及び
前記ＬＯＲを画像表現に再構成する再構成プロセッサ
をさらに有する請求項４に記載の装置。
【請求項７】
前記スケーリングプロセッサは、前記ＬＯＲ及び前記画像表現の１つをスケーリングする請求項６に記載の装置。
【請求項８】
前記スケーリングプロセッサは、各セグメントの実際の期間と前記対応する名目上のセグメントの期間との間にある差に従って、各セグメントにおいて収集された多数の前記ＬＯＲをスケーリングする請求項７に記載の装置。
【請求項９】
各名目上のサンプリングセグメントは、整数の前記周期的な生体リズムである請求項１に記載の装置。
【請求項１０】
被験者の関心領域からの放射線量を検出するステップ、
前記被験者の周期的な生体リズムを監視するステップ、
前記被験者の各周期的な生体リズムにおける基準点を検出するステップ、
各々が開始時間及び終了時間を持つ名目上のサンプリングセグメントのシーケンスを選択するステップ、及び
各名目上のサンプリングセグメントの前記開始時間及び終了時間を前記検出した基準点と同期させるステップ
を有する画像診断方法。
【請求項１１】
前記同期させるステップは、各名目上のサンプリングセグメントの前記開始時間及び終了時間が時間的に移行され、前記最も近くの検出された基準点に一致するように、前記サンプリングセグメントを調節するステップを有する請求項１０に記載の方法。
【請求項１２】
前記同期させるステップはさらに、前記対応する名目上のサンプリングセグメントと調節されたサンプリングセグメントとの間にある差に基づいて各々の調節されたサンプリングセグメントをスケーリングするステップを有する請求項１１に記載の方法。
【請求項１３】
前記スケーリングするステップは、各々の調節されたサンプリングセグメントと名目上のサンプリングセグメントとの期間の間にある持続時間に従って、各々の調節されたセグメントにおける大量の放射線量を調節するステップを有する請求項１２に記載の方法。
【請求項１４】
各々の調節されたセグメントの前記放射線量を画像表現に再構成するステップをさらに有する請求項１２に記載の方法。
【請求項１５】
前記スケーリングするステップは、各々の調節されたサンプリングセグメントと前記名目上のサンプリングセグメントとの期間の間にある持続時間に従って、各画像表現をスケーリングするステップを有する請求項１４に記載の方法。
【請求項１６】
前記名目上のサンプリングセグメントは、
事前に指定したデータ収集時間を持つ固定時間セグメント、及び
事前に指定した数の検出される基準点
の１つを含んでいる請求項１０に記載の方法。
【請求項１７】
各名目上のサンプリングセグメントは前記周期的な生体リズムの一定の部分である請求項１０に記載の方法。
【請求項１８】
請求項１０に記載の方法を行うスキャナ。
【請求項１９】
被験者の関心領域を動的に撮像する装置において、
前記被験者の少なくとも１つの生体リズムを検出する第１の機構、
前記被験者から発する放射線量を検出する第２の機構、及び
前記被験者から発する前記放射線量を、各々が前記第１の機構から検出された整数の生体リズムを有する既定数のサンプリングセグメントに分割するプロセッサ
を有する装置。
【請求項２０】
前記既定数のサンプリングセグメントは、前記第１の機構から検出された異なる整数の生体リズムからなる少なくとも２つのサンプリングセグメントを有する請求項１９に記載の装置。